(57)【要約】【課題】  補強用リブに使用する樹脂量をこれまで以上に低減しても同様の強度を維持し、落下等の外部衝撃を受けても割れ難いインモールドラベル付き容器を創出することを課題とする。【解決手段】  側壁（４）と底部（５）が一体に形成された有底筒状の容器本体（２）と、側壁（４）の外面（４Ａ）に外表面を露出させた状態で埋設されたラベル（８）とを有するインモールドラベル付き容器であって、側壁（４）の外面（４Ａ）の、ラベル（８）の周方向の両縁部（８ａ，８ａ）が対向し合う部分に、側壁（４）を形成する樹脂が入り込んで形成された厚盛部（９）が設けられており、厚盛部（９）と対向する側壁（４）の内面（４Ｂ）に、容器本体（２）の高さ方向に所定の間隔を有して並ぶ複数の横リブ（１０）を配設した構成とする。【選択図】  図３
2014069851.tif 000002
【特許請求の範囲】
【請求項１】
側壁（４）と底部（５）が一体に形成された有底筒状の容器本体（２）と、前記側壁（４）の外面（４Ａ）に外表面を露出させた状態で埋設されたラベル（８）とを有するインモールドラベル付き容器であって、
前記側壁（４）の外面（４Ａ）の、前記ラベル（８）の周方向の両縁部（８ａ，８ａ）が対向し合う部分に、前記側壁（４）を形成する樹脂が入り込んで形成された厚盛部（９）が設けられており、
前記厚盛部（９）と対向する前記側壁（４）の内面（４Ｂ）に、前記容器本体（２）の高さ方向に所定の間隔を有して並ぶ複数の横リブ（１０）を配設したことを特徴とするインモールドラベル付き容器。
【請求項２】
横リブ（１０）を凸型円弧状とした請求項１記載のインモールドラベル付き容器。
【請求項３】
横リブ（１０）を、側壁（４）の内面（４Ｂ）上で且つ底部（５）の中心を通る仮想中心軸（Ｏ）に対して対象をなす位置にそれぞれ形成した請求項１又は２記載のインモールドラベル付き容器。
【請求項４】
横リブ（１０）を、中心角を等しくする内面の４箇所の位置にそれぞれ形成した請求項１乃至３のいずれか一項に記載のインモールドラベル付き容器。
【発明の詳細な説明】
【技術分野】
【０００１】
本発明は、容器本体の外面にラベルがインモールド成形法によって周設されたインモールドラベル付き容器に関するものである。
【背景技術】
【０００２】
この種のインモールドラベル付き容器として、例えば、以下の特許文献１に記載されているように、有底筒状をなす容器本体の側壁の外面にインモールドラベルが周設されたものが広く提供されている。
このようなインモールドラベル付き容器は、ラベルを予め成形金型内の所定の位置に配置しておき、この成形金型内に合成樹脂等の原料を注入することで容器本体を成形すると共に、容器本体の外面にラベルを埋設することにより製造される。
【０００３】
特許文献１に記載のインモールドラベル容器では、製品コストの抑制及び廃棄時の減容化等の観点から、使用する樹脂量の抑制による容器本体の薄肉化と、容器本体を構成する側壁の内面に内方へ突出する複数の縦リブを設けることによる強度確保とが可能となっている。
【先行技術文献】
【特許文献】
【０００４】
【特許文献１】特開２００９−７０４６号公報
【発明の概要】
【発明が解決しようとする課題】
【０００５】
特許文献１に記載のインモールドラベル付き容器は、使用する樹脂量の抑制に努めてはいるものの縦リブは厚肉で形成され且つ容器本体の高さ寸法のほぼ全長に亘って突設される構成であるため、使用する樹脂量の低減が不十分であるという問題がある。
【０００６】
また縦リブは内面に縦方向（高さ方向）に沿って一直線で形成されているため、射出成形時においては溶融樹脂の流れがスムーズとなりやすい。このため、溶融樹脂を構成する分子鎖が縦方向に配向しやすく、落下などの大きな外部衝撃を受けると割れやすいという問題がある。
【０００７】
本発明は、上記した従来技術における問題点を解消すべく、容器本体を薄肉化したインモールドラベル付き容器において、補強用リブに使用する樹脂量をこれまで以上に低減しても同様の強度を維持し、落下等の外部衝撃を受けても割れ難いインモールドラベル付き容器を創出することを課題とする。
【課題を解決するための手段】
【０００８】
上記課題を解決するための手段のうち、本発明の主たる構成は、
側壁と底部が一体に形成された有底筒状の容器本体と、側壁の外面に外表面を露出させた状態で埋設されたラベルとを有するインモールドラベル付き容器であって、側壁の外面の、ラベルの周方向の両縁部が対向し合う部分に、側壁を形成する樹脂が入り込んで形成された厚盛部が設けられており、厚盛部と対向する側壁の内面に、容器本体の高さ方向に所定の間隔を有して並ぶ複数の横リブを配設したことを特徴とする、と云うものである。
【０００９】
上記構成のインモールドラベル付き容器では、複数の横リブを、ラベルの両縁部が対向し合う厚盛部と対向する側壁の内面に配置する構成としたことから、容器本体の特にラベルの両縁部が対向し合う部分である厚盛部の強度の維持を達成し得る。また複数の横リブを、高さ方向に飛び飛びに形成する構成としたことから、厚盛部を形成する樹脂の分子鎖の配向性の低下を達成し得る。
【００１０】
また本発明の他の構成は、請求項１記載の発明において、横リブを凸型円弧状とした、と云うものである。
【００１１】
上記構成では、横リブに使用する樹脂量の低減を達成し得る。
【００１２】
また本発明の他の構成は、請求項１又は２記載の発明において、横リブを、側壁の内面上で且つ底部の中心を通る仮想中心軸に対して対象をなす位置にそれぞれ形成した、と云うものである。
【００１３】
上記構成では、複数の横リブを、側壁の内面の軸対称となる位置への形成を達成する。
【００１４】
また本発明の他の構成は、請求項１乃至３のいずれか一項に記載の発明において、横リブを、中心角を等しくする内面の４箇所の位置にそれぞれ形成した、と云うものである。
【００１５】
上記構成では、横リブを内面の４箇所の位置への均等配置を達成する。
【発明の効果】
【００１６】
本発明は、上記した構成となっているので、以下に示す効果を奏する。
本発明の主たる構成においては、少ない樹脂量で横リブを形成した場合であっても、容器本体の特に側壁部分について高い強度を維持することができる。
【００１７】
また複数の横リブを高さ方向に所定の間隔で並設する構成としたことから、射出成形時に溶融樹脂の流れが妨げられるようになり、インモールドラベルの両縁部同士が対向する部分である厚盛部を形成する分子鎖の配向性を低下させることができるため、厚盛部の強度を高めることができ、落下等の外部衝撃に強く割れの生じ難いインモールドラベル付き容器とすることができる。
【００１８】
また、横リブを凸型円弧状とした構成では、周方向の長さ寸法が長くなることを抑制し必要最小限の長さ寸法とすることができるため、横リブの形成に必要な樹脂量を低く抑えることができる。
【００１９】
また、横リブを、側壁の内面上で且つ底部の中心を通る仮想中心軸に対して対象をなす位置にそれぞれ形成した構成では、横リブを側壁の内面の軸対称となる位置へ形成することが可能となり、容器本体の強度を高めることができると共に、強度のバランスを保つことが可能となる。
【００２０】
また、横リブを、中心角を等しくする内面の４箇所の位置にそれぞれ形成した構成では、容器本体の強度を更に高めることができると共に、特に強度のバランスを均等とすることができる。
【図面の簡単な説明】
【００２１】
【図１】本発明の第１実施例としてインモールドラベル付き容器を正面側から見下ろした状態を示す斜視図である。
【図２】図１のインモールドラベル付き容器を背面側から見上げた状態を示す斜視図である。
【図３】インモールドラベル付き容器の半縦断面図である。
【図４】インモールドラベル付き容器を図３のＩＶ−ＩＶ線で切断し、矢印方向から見た状態を示す横断面図である。
【図５】インモールドラベル付き容器を図３のＶ−Ｖ線で切断し、矢印方向から見た状態を拡大して示す横断面図である。
【図６】インモールドラベル付き容器を図３のＶＩ−ＶＩ線で切断し、矢印方向から見た状態を拡大して示す縦断面図である。
【図７】本発明の第２実施例を示す図４同様の横断面図である。
【発明を実施するための形態】
【００２２】
以下、本発明の実施の形態について図面を参照しつつ説明する。
図１は本発明の第１実施例としてインモールドラベル付き容器を正面側から見下ろした状態を示す斜視図、図２は図１のインモールドラベル付き容器を背面側から見上げた状態を示す斜視図、図３はインモールドラベル付き容器の半縦断面図、図４はインモールドラベル付き容器を図３のＩＶ−ＩＶ線で切断し、矢印方向から見た状態を示す横断面図、図５はインモールドラベル付き容器を図３のＶ−Ｖ線で切断し、矢印方向から見た状態を拡大して示す横断面図、図６はインモールドラベル付き容器を図３のＶＩ−ＶＩ線で切断し、矢印方向から見た状態を拡大して示す縦断面図である。
【００２３】
図１乃至図６に第１実施例として示すインモールドラベル付き容器（以下、適宜「容器」という。）１は、容器本体２とインモールドラベル（以下、「ラベル」という）８とを有して構成されている。
容器本体２は、例えばポリプロピレン、ポリエチレン、ポリスチレン等の合成樹脂によって射出成形され、胴部３を構成する側壁４とその下方に設けられた底部５とを有す有底筒形状である。底部５から上方に向って若干拡径して形成された円筒形状の側壁４の上端開口縁には外鍔状のフランジ６が一体に周設されている。また底部５よりも下位となる側壁４の下端部分には脚部７が一体に形成されている。
【００２４】
図３に拡大して示すように、ラベル８を円筒状にして成形金型内にセットした状態で容器本体２を射出成形すると、ラベル８がその外表面を露出した状態で側壁４の外面４Ａ側に埋設される。肉薄状に射出形成された側壁４とその外面４Ａ側に埋設されたラベル８とが容器本体２の胴部３を形成している。
【００２５】
図２及び図５に示すように、胴部３を構成する側壁４内には、突合わせ状に位置するラベル８の両縁部８ａ，８ａ間に側壁４の一部からなり、外方向に凸状に突出形成された厚盛部（または「ラベル合わせ部」ともいう）９が形成されている。この厚盛部９は、フランジ６の下部位置から底部５に向かって一直線に延びており、ラベル８は厚盛部９を除く側壁４の周方向の略全域に亘って形成されている。
なお、図５に示すように、厚盛部９部分の肉厚寸法は、肉薄に形成された側壁４の肉厚寸法にラベル８の肉厚寸法を加えた寸法と同じである。つまり厚盛部９の外面とラベル８の外表面とは同一平面で形成されている。
【００２６】
そして、図５に示すように厚盛部９と対向する側壁４の内面４Ｂ側の位置には、高さ方向に所定の間隔を有して並ぶ複数の横リブ１０が形成されている。
【００２７】
横リブ１０は、側壁４の内面４Ｂから容器本体２の内方に突出し、且つ周方向に短い長さ寸法を有して構成された凸型円弧状をしている。横リブ１０の周方向の長さ寸法は厚盛部９の周方向の幅寸法よりも長いが、胴部３の周長よりは短い構成である。また外面４Ａに形成された厚盛部９の形成位置は、内面４Ｂに形成された横リブ１０の周方向の長さ寸法の半分の位置である。すなわち横リブ１０は、厚盛部９を基準としたときに、周方向に左右対称の長さ寸法を有する状態で形成されている。よって、容器１の強度、特に厚盛部９が形成された部分の容器本体２の強度を高めている。
【００２８】
しかも、横リブ１０は周方向に短い凸型円弧状で構成されているため、複数の横リブ１０を高さ方向に並べた構成とした場合に必要となる樹脂の総量を、従来の容器本体の高さ寸法のほぼ全長に亘って厚肉状の複数の縦リブを形成するために要する樹脂の総量よりも少なくすることが可能である。よって、従来よりも軽量で且つ製造コストの低減を十分に図ることのできるインモールドラベル付き容器１を提供することができる。
【００２９】
また横リブ１０は、外面４Ａに形成された厚盛部９の裏面である内面４Ｂに高さ方向に沿って所定の間隔で形成されており、容器１を射出成形する際には成形金型内を流動する溶融樹脂の流れに抵抗を与える。このため、溶融樹脂の流れに乱れが生じ、溶融樹脂を構成する分子鎖の配向を低下させるため、落下等の外部衝撃によっても割れ難いインモールドラベル付き容器１とすることができる。
【００３０】
また図３に示すように、容器本体２の内面４Ｂの下端の位置には、複数のスタック用リブ１１が周方向に一定の間隔を有して突出形成されている。上側の容器１を下側の容器１の内側に挿入すると、上側の容器１の脚部７の下端が下側の容器１の複数のスタック用リブ１１に当接する状態で積み重なる。この状態では、下側の容器１のフランジ６の上面と上側の容器１のフランジ６の下面との間に高さ方向に適度な隙間が生じ、両フランジ６同士が密着し合った状態で重なることがなくなる。よって、積み重なりの状態にある両容器１を容易且つ迅速に分離することが可能となっている。
【００３１】
次に、インモールドラベル付き容器の落下強度試験について説明する。
１．落下強度試験に使用した容器の構成
インモールドラベル付き容器として、３種類（第１実施例、比較例１、比較例２）を用いて落下強度試験を行って評価した。試験に使用した３種類の容器の構成は以下の通りである。
【００３２】
（１）第１実施例
上記構成からなるインモールドラベル付き容器１であり、その大きさは口部の径寸法６４ｍｍ、底部の径寸法５２ｍｍ、高さ寸法１０３ｍｍ、胴部の平均肉厚０．５ｍｍ、重量は約１２ｇであり、横リブの周方向の長さ寸法１５ｍｍ、内面４Ｂからの突出寸法０．０５ｍｍ、高さ方向の寸法２ｍｍで、高さ方向の間隔は７ｍｍ、横リブの総数は１０とした。
（２）比較例１
横リブを有しない点以外は第１実施例との同じ構成とした。
（３）比較例２
横リブを有せず、胴部の平均肉厚０．７５ｍｍ、重量約１６ｇとした点を除き、第１実施例との同じ構成とした。
【００３３】
２．落下強度試験の方法
容器に２００ｍｌの水を充填し、口部を完全にシールして水漏れを防止した後に５℃に設定する。落下試験機を使用し、錘を任意の高さから落下させて厚盛部９の破損状態を目視により確認する。錘を落下させる胴部３上の位置は、厚盛部（ラベル合わせ部）９を基準（０°の位置）とし、この基準位置から周方向に６０°方向で且つフランジ６下部の所定位置、及び１８０°方向で且つフランジ６下部の所定位置の２箇所とした。
【００３４】
３．落下強度試験の結果
表１に各３回実施したインモールドラベル付き容器の落下強度試験の結果を示す。
なお、表１中の○印は破損が認められない場合を、×印は破損が認められた場合を示している。
【００３５】
【表１】
2014069851.tif 000003
【００３６】
表１より、第１実施例の容器は、横リブを有しない構成の比較例１の容器に比較して十分に高い強度を有すること、及び樹脂量を多くして肉厚に形成した構成である比較例２の容器と比較して同等の強度を有することが認められた。
【００３７】
図７は、本発明の第２実施例を示す図４同様の横断面図である。
図７に第２実施例として示す容器１が、図１乃至６の第１実施例と異なる点は、横リブ１０の周方向の配置にあり、その他の構成は第１実施例と同様である。
すなわち、図７に第２実施例では、横リブ１０を内面４Ｂ上で、且つ底部５の中心を通る仮想中心軸Ｏ回りに、中心角９０°毎にずらした４箇所の位置に形成している。そして、これら４箇所のうち一つの横リブ１０は、上記第１実施例の厚盛部９と同様の構成により形成されている。第２の実施例に示す構成においては、周方向の強度のバランスを均等とすることができるため、第１実施例に比較して容器１の強度を更に高めることができる。
【００３８】
なお、第２の実施例に示す構成においても、周方向４箇所に位置に高さ方向に沿って並べた複数の横リブ１０を形成するために必要な樹脂の総量を、従来の容器本体の高さ寸法のほぼ全長に亘って厚肉状の複数の縦リブを形成するために要する樹脂の総量よりも少なくしている。
【００３９】
以上、実施例に沿って本発明の構成とその作用効果について説明したが、本発明の実施の形態は上記実施例に限定されるものではない。
上記実施例では、１０本の横リブ１０を有する構成を示して説明したが、本発明はこの実施例に限られるものではなく、容器の大きさ等に応じて１０本よりも多い構成とすることもできるし、少ない構成とすることもできる。
【００４０】
また横リブ１０の大きさ、すなわち周方向の長さ寸法、突出寸法及び高さ寸法、さらには高さ方向の間隔についても上記実施例に限られるものではない。
【００４１】
また第２実施例では、横リブ１０を内面４Ｂの４箇所の位置に形成した構成を示して説明したが、軸対称をなす内面４Ｂの２箇所に形成する構成、あるいは５箇所、６箇所、さらには８箇所などそれ以外の位置に形成する構成とすることもできる。
【００４２】
さらに上記各実施例では胴部３が断面円形（円筒状）の容器１を用いて説明したが、本発明は断面円形に限られるものではなく、断面正方形、断面長方形、あるいは断面六角形状等その他の断面多角形状の胴部３を有する容器１に使用することもできる。
【産業上の利用可能性】
【００４３】
本発明は、薄肉化したインモールドラベル付き容器の分野における用途展開をさらに広い領域で図ることができる。
【符号の説明】
【００４４】
１    ；  インモールドラベル付き容器（容器）
２    ；  容器本体
３    ；  胴部
４    ；  側壁
４Ａ  ；  側壁の外面
４Ｂ  ；  側壁の内面
５    ；  底部
６    ；  フランジ
７    ；  脚部
８    ；  インモールドラベル（ラベル）
９    ；  厚盛部（ラベル合わせ部）
１０  ；  横リブ
１１  ；  スタック用リブ
【図１】
2014069851.tif 000004
【図２】
2014069851.tif 000005
【図３】
2014069851.tif 000006
【図４】
2014069851.tif 000007
【図５】
2014069851.tif 000008
【図６】
2014069851.tif 000009
【図７】
2014069851.tif 000010